(57)【要約】【課題】可動部を効率よく可動させることを目的とした加湿機能付き空気清浄機を提供する。【解決手段】空気を吸い込む吸気口２と、込んだ空気を清浄するフィルター３と、このフィルター３を覆うように吸気口２に設けたフロントパネル４と、フィルター３に通風する送風手段と、空気を吹き出す排気口６と、この吹き出す空気を加湿する加湿手段と、フロントパネル４を保持するアームと、このアームに磁石と、アームを可動させる可動部と、磁石の位置を検知する位置検手段を設け、可動部を効率よく可動させることを特徴とする加湿機能付き空気清浄機。【選択図】図１
2011106768.tif 000002
【特許請求の範囲】
【請求項１】
空気を吸い込む吸気口と、込んだ空気を清浄する清浄手段と、清浄手段を覆うように吸気口に設けたパネルと、清浄手段に通風する送風手段と、空気を吹き出す排気口と、この吹き出す空気を加湿する加湿手段を備えた加湿機能付き空気清浄機において、パネルを保持するアームと、このアームに磁石と、アームを可動させる可動部と、磁石の位置を検知する位置検知手段をアームの可動範囲の上限と下限に設け、位置検出手段の信号にヒステリシスを設け判断することで、パネルの現在位置を位置検知手段２個対して３箇所判断でき、パネルを現在位置から目標位置まで可動させる際に、可動部を効率よく可動させることを特徴とする加湿機能付き空気清浄機。
【請求項２】
磁石の位置を検出する位置検出手段を３つ以上設けたことを特徴とする請求項１に記載の加湿機能付き空気清浄機。
【請求項３】
可動部が上下に動くことを特徴とした請求項１から請求項２に記載の加湿機能付き空気清浄機。
【請求項４】
外部からの力により磁石の位置が変わり、検知結果が変わると音で使用者に知らせることを特徴とする請求項１から３のいずれか一つに記載の加湿機能付き空気清浄機。
【請求項５】
外部からの力により磁石の位置が変わり、検知結果が変わると送風手段を停止することを特徴とする請求項４に記載の加湿機能付き空気清浄機。
【請求項６】
外部からの力により磁石の位置が変わり、検知結果が変わると加湿機能付き空気清浄機の運転を停止することを特徴とする請求項４に記載の加湿機能付き空気清浄機。
【請求項７】
外部からの力により磁石の位置が変わり、検知結果が変わると表示部に表示することを特徴とする請求項４に記載の加湿機能付き空気清浄機。
【請求項８】
パネルを現在位置から目標位置まで移動させる際に、所定の時間内に目標位置までに目標位置に到達しないと、音で使用者に知らせることを特徴とする請求項１から３のいずれか一つに記載の加湿機能付き空気清浄機。
【請求項９】
パネルを現在位置から目標位置まで移動させる際に、所定の時間内に目標位置までに目標位置に到達しないと、運転を停止することを特徴とする請求項８に記載の加湿機能付き空気清浄機。
【請求項１０】
磁石をアームでなくパネルに備えたことを特徴とする、請求項１に記載の加湿機能付空気清浄。
【請求項１１】
外部からの力により磁石の位置が変わり、検知結果が変わったときの動作を使用者が選択できることを特徴とした請求項１に記載の加湿機能付空気清浄。
【発明の詳細な説明】
【技術分野】
【０００１】
本発明は、室内空間に浮遊する埃や煙草などの汚染物質を含んだ汚染空気を吸い込んで清浄し、清浄後の空気を加湿機能により加湿し、室内に吹きだす機能を備えた加湿機能付き空気清浄機に関するものである。
【背景技術】
【０００２】
従来、この種の加湿機能付き空気清浄機は下記に記載されたものが知られている。
【０００３】
以下、その加湿機能付き空気清浄機について図を参照しながら説明する。
【０００４】
図８に示すように加湿機能付き空気清浄機本体１０１には空気を吸い込む吸気口１０２と、空気を清浄するフィルター１０３と、吸気口にフロントパネル１０４と、フロントパネル１０４を可動させるステッピングモータ１０５と、フィルター１０３に通風するファン１０６と、清浄した空気を吹き出す排気口１０７と、空気の汚れを検知する汚れセンサ１０８と、表示部１０９を備え、空気の状態に応じてステッピングモータ１０５を可動させている（例えば、特許文献１参照）。
【先行技術文献】
【特許文献】
【０００５】
【特許文献１】特開２００７−１３２６１０号公報
【発明の概要】
【発明が解決しようとする課題】
【０００６】
このような従来の加湿機能付き空気清浄機では、パネルを可動させることはできるが、パネルの現在位置がわからないため、原点位置を設け可動の度に原点位置までステッピングモータを可動させ、それから目標位置までパネルを可動していため、パネルの現在位置と目標位置を検知することが要求されている。
【０００７】
そこで本発明は、このような従来の課題を解決するものであり、可動部に磁石と可動範囲内に磁石を検知する位置検出を設けることで現在位置と目標位置を正確に検知しステッピングモータを効率よく可動させることを特徴としている。
【課題を解決するための手段】
【０００８】
そして、この目的を達成するために、本発明の加湿機能付き空気清浄機は、空気を吸い込む吸気口と、込んだ空気を清浄する清浄手段と、清浄手段を覆うように吸気口に設けたパネルと、清浄手段に通風する送風手段と、空気を吹き出す排気口と、この吹き出す空気を加湿する加湿手段を備えた加湿機能付き空気清浄機において、パネルを保持するアームと、このアームに磁石と、アームを可動させる可動部と、磁石の位置を検知する位置検知手段をアームの可動範囲の上限と下限に設け、位置検出手段の信号にヒステリシスを設け判断することで、パネルの現在位置を位置検知手段２個対して３箇所判断できるものであり、これにより所期の目的を達成するものである。
【０００９】
この手段により、可動部を効率よく稼動させることができる加湿機能付き空気清浄機が得られる。
【００１０】
また、本発明の加湿機能付き空気清浄機は、磁石の位置を検出する位置検出手段を３つ以上設けたものであり、これにより所期の目的を達成するものである。
【００１１】
この手段により、パネルの現在位置を細かく検知することができる加湿機能付き空気清浄機が得られる。
【００１２】
また、本発明の加湿機能付き空気清浄機は、可動部が上下に動くものである。
【００１３】
この手段により、使用者が視覚で汚れの状況を把握することができる加湿機能付き空気清浄機が得られる。
【００１４】
また、本発明の加湿機能付き空気清浄機は、外部からの力により磁石の位置が変わり、検知結果が変わると音で使用者に知らせるものである。
【００１５】
この手段により、製品の誤使用や、使用者へ危険を防ぐことができる加湿機能付き空気清浄機が得られる。
【００１６】
また、本発明の加湿機能付き空気清浄機は、外部からの力により磁石の位置が変わり、検知結果が変わると送風手段を停止するものである。
【００１７】
この手段により、製品の誤使用や、使用者へ危険を防ぐことができる加湿機能付き空気清浄機が得られる。
【００１８】
また、本発明の加湿機能付き空気清浄機は、外部からの力により磁石の位置が変わり、検知結果が変わると加湿機能付き空気清浄機の運転を停止するものである。
【００１９】
この手段により、製品の誤使用や、使用者へ危険を防ぐことができる加湿機能付き空気清浄機が得られる。
【００２０】
また、本発明の加湿機能付き空気清浄機は、外部からの力により磁石の位置が変わり、検知結果が変わると表示部に表示するものである。
【００２１】
この手段により、製品の誤使用や、使用者へ危険を防ぐことができる加湿機能付き空気清浄機が得られる。
【００２２】
また、本発明の加湿機能付き空気清浄機は、パネルを現在位置から目標位置まで移動させる際に、所定の時間内に目標位置までに目標位置に到達しないと、音で使用者に知らせるものである。
【００２３】
この手段により、製品の誤使用や、使用者へ危険を防ぐことができる加湿機能付き空気清浄機が得られる。
【００２４】
また、本発明の加湿機能付き空気清浄機は、パネルを現在位置から目標位置まで移動させる際に、所定の時間内に目標位置までに目標位置に到達しないと、運転を停止するものである。
【００２５】
この手段により、製品の誤使用や、使用者へ危険を防ぐことができる加湿機能付き空気清浄機が得られる。
【００２６】
また、本発明の加湿機能付き空気清浄機は、磁石をアームでなくパネルに備えたものである。
【００２７】
この手段により、製品の誤使用や、使用者へ危険を防ぐことができる加湿機能付き空気清浄機が得られる。
【００２８】
また、本発明の加湿機能付き空気清浄機は、外部からの力により磁石の位置が変わり、検知結果が変わったときの動作を使用者が選択できるものである。
【００２９】
この手段により、使用状況に応じて使用できる加湿機能付き空気清浄機が得られる。
【発明の効果】
【００３０】
本発明によれば、現在位置と目標位置を検知することで効率よく可動部を可動させる加湿機能付き空気清浄機を提供できる。
【図面の簡単な説明】
【００３１】
【図１】本発明の実施の形態１の空気清浄機の構成を示す斜視図（（Ａ）正規状態を示す図、（Ｂ）フロントパネルを外した状態を示す図）
【図２】本発明の実施の形態１の空気清浄機の構成を示す側面透視図
【図３】本発明の実施の形態１のアーム構造図
【図４】本発明の実施の形態１のパネル上下可動構成図（（Ａ）全開状態を示す図、（Ｂ）半開状態を示す図、（Ｃ）全閉状態を示す図）
【図５】本発明の実施の形態１のホールＩＣ構造図
【図６】本発明の実施の形態１のホールＩＣ構造図
【図７】本発明の実施の形態１のパネル左右可動構成図（（Ａ）左開放状態を示す図、（Ｂ）全閉状態を示す図、（Ｃ）右開放状態を示す図）
【図８】従来の空気清浄機の側面図
【発明を実施するための形態】
【００３２】
本発明の請求項１記載の加湿機能付き空気清浄機は、空気を吸い込む吸気口と、込んだ空気を清浄する清浄手段と、清浄手段を覆うように吸気口に設けたパネルと、清浄手段に通風する送風手段と、空気を吹き出す排気口と、この吹き出す空気を加湿する加湿手段を備えた加湿機能付き空気清浄機において、パネルを保持するアームと、このアームに磁石と、アームを可動させる可動部と、磁石の位置を検知する位置検知手段をアームの可動範囲の上限と下限に設け、位置検出手段の信号にヒステリシスを設け判断することで、パネルの現在位置を位置検知手段２個対して３箇所判断でき、可動部を効率よく稼動させるという作用を有する。
【００３３】
また、請求項２記載の加湿機能付き空気清浄機は、磁石の位置を検出する位置検出手段を３つ以上設け、パネルの現在位置を細かく正確に検知するという作用を有する。
【００３４】
また、請求項３記載の加湿機能付き空気清浄機は、可動部が上下に動くことを特徴とするものであり、使用者が視覚で汚れの状況を把握するという作用を有する。
【００３５】
また、請求項４記載の加湿機能付き空気清浄機は、外部からの力により磁石の位置が変わり、検知結果が変わると音で使用者に知らせるものであり、製品の誤使用や、使用者へ危険を防ぐことができるという作用を有する。
【００３６】
また、請求項５記載の加湿機能付き空気清浄機は、外部からの力により磁石の位置が変わり、検知結果が変わると送風手段を停止するものであり、製品の誤使用や、使用者へ危険を防ぐことができるという作用を有する。
【００３７】
また、請求項６記載の加湿機能付き空気清浄機は、外部からの力により磁石の位置が変わり、検知結果が変わると加湿機能付き空気清浄機の運転を停止するものであり、製品の誤使用や、使用者へ危険を防ぐことができるという作用を有する。
【００３８】
また、請求項７記載の加湿機能付き空気清浄機は、外部からの力により磁石の位置が変わり、検知結果が変わると表示部に表示するものであり、製品の誤使用や、使用者へ危険を防ぐことができるという作用を有する。
【００３９】
また、請求項８記載の加湿機能付き空気清浄機は、パネルを現在位置から目標位置まで移動させる際に、所定の時間内に目標位置までに目標位置に到達しないと、音で使用者に知らせるものであり、製品の誤使用や、使用者へ危険を防ぐことができるという作用を有する。
【００４０】
また、請求項９記載の加湿機能付き空気清浄機は、パネルを現在位置から目標位置まで移動させる際に、所定の時間内に目標位置までに目標位置に到達しないと、運転を停止するものであり、製品の誤使用や、使用者へ危険を防ぐことができるという作用を有する。
【００４１】
また、請求項１０記載の加湿機能付き空気清浄機は、磁石をアームでなくパネルに備えたものであり、製品の誤使用や、使用者へ危険を防ぐことができるという作用を有する。
【００４２】
また、請求項１１記載の加湿機能付き空気清浄機は、外部からの力により磁石の位置が変わり、検知結果が変わったときの動作を使用者が選択できるものであり、使用状況に応じて使用できる。
【００４３】
（実施の形態１）
図１、図２に本発明の実施の形態における加湿機能付き空気清浄機の構成を示す斜視図、と側面透視図を示す。加湿機能付き空気清浄機本体１に室内の空気を吸い込む吸気口２と、吸い込んだ空気を清浄するフィルター３と、フィルター３を覆うように吸気口２に設けたフロントパネル４と、フィルター３に通風するファン５と、空気を吹き出す排気口６と、この吹き出す空気を加湿する加湿フィルター７と、フロントパネル４を保持する可動するアーム８と、アーム８の可動を制御するマイコン１２と、音を鳴らすブザー１３と、異常を表示する表示部１４を設け構成する。
【００４４】
図３にアーム８の構造図を示す。アーム８の一部に磁石９と、アーム８を可動させるステッピングモータ１０を備え構成している。
【００４５】
次に、フロントパネル４が上下に可動する場合のフロントパネル４の位置と磁石９の位置を図４に示す。フロントパネル４は図４（Ａ）に示す全開、図４（Ｂ）に示す半開、図４（Ｃ）に示す全閉の３状態に可動し、各状態に合わせて磁石９の位置も変動する構成となっている。
【００４６】
図５に磁石９を検知するための検知手段の構成を示す。磁石９の可動範囲の上限と下限に磁石９の検知手段を設ける。ここでは、全開時の磁石９の位置に検知手段として上限用ホールＩＣ１１ａを設け、全閉時の磁石９の位置に下限用ホールＩＣ１１ｂを設け構成する。上限用ホールＩＣ１１ａに対し９０℃の箇所に下限用ホールＩＣ１１ｂを設けている。上限用ホールＩＣ１１ａと下限用ホールＩＣ１１ｂの検知範囲は点線の３０℃とし、９０℃を３分割している。磁石９が点線を過ぎると上限用ホールＩＣ１１ａ、下限用ホールＩＣ１１ｂは磁石を検知しないように構成している。
【００４７】
このとき、フロントパネル４は全開の状態は全閉の状態から６０ｍｍだけフロントパネル４が可動するが、磁石９と上限用ホールＩＣ１１ａ、下限用ホールＩＣ１１ｂはアーム８の根元に設置することで上限用ホールＩＣ１１ａ、磁石９の可動距離に対しフロントパネル４の可動距離が大きくなるような構造となっている。
【００４８】
上限用ホールＩＣ１１ａ、下限用ホールＩＣ１１ｂは磁石９を検知するとＨｉ信号を出力し、検知しないとＬｏ信号を出力する。例えば、下限用ホールＩＣ１１ｂからマイコン１２にＨｉ信号が出力されると、フロントパネル４は全閉Ｃであることがわかる。また、上限用ホールＩＣ１１ａ、下限用ホールＩＣ１１ｂどちらもＬｏ信号出力であればフロントパネル４は半開Ｂの状態であることがわかり、そこから全開もしくは全閉に可動させる際にステッピングモータ１０の回転をどちらに回転させれば効率よく可動させることができるかわかる。
【００４９】
このようにフロントパネル４の現在位置がわかることで最短で目標位置に稼動させることができるため効率よくステッピングモータ１０可動することができる。
【００５０】
また、ステッピングモータ１０の空打ちもなくなるため、耐久性の小さいステッピングモータ１０を使用することができコストダウンすることもできる。
【００５１】
なお、ここではホールＩＣを可動範囲の上限と下限の２箇所に設置しているが検知手段を３箇所以上に設けてもよい。例えば、図６に示すように、上限用ホールＩＣ１１ａ、下限用ホールＩＣ１１ｂ、中間用ホールＩＣ１１ｃを設ける。このようにホールＩＣを３箇所もうけることで、フロントパネル４の停止位置を上限用ホールＩＣ１１ａが検知している箇所、下限用ホールＩＣ１１ｂが検知している箇所、中間用ホールＩＣ１１ｃが検知している箇所、上限用ホールＩＣ１１ａと中間用ホールＩＣ１１ｃが検知している箇所、下限用ホールＩＣ１１ｂと中間用ホールＩＣ１１ｃが検知している箇所の５箇所でフロントパネル４を停止させることができる。つまりホールＩＣ３個に対してフロントパネル４の停止場所を５箇所正確に検知することできる。
【００５２】
このように、検知手段の個数以上の停止位置を正確に検知し、制御することができる。
【００５３】
また、フロントパネル４を上下に可動させて全閉・半開・全開としているが、フロントパネル４を上下でなく、図７に示すように左右に可動させ、同図７（Ａ）に示す左開放状態、図７（Ｂ）に示す全閉状態、図７（Ｃ）に示す右開放状態とし、上記と同様の制御をしてもよい。
【００５４】
このように、フロントパネル４を可動させることにより、使用者に視覚的に汚れを知らせることができる。
【００５５】
（実施の形態２）
本実施の形態は前記実施の形態１と制御方法が異なるのみであり、同一構成のものは同一番号を付して詳しい説明は省略する。
【００５６】
フロントパネル４に外部からの力が加わり、磁石９が所定の位置から外れるとブザー１３に鳴らし現在位置から外れたことを知らせる。例えば、アーム８が全開Ａ状態時には上限用ホールＩＣ１１ａはＨｉ信号をマイコン１２に出力しているが、外部からフロントパネル４に力が加わると磁石９が上限用ホールＩＣ１１ａから外れるため上限用ホールＩＣ１１ａの出力はＬｏとなる。マイコン１２にてステッピングモータ１０の可動信号を出していない状態で上限用ホールＩＣ１１ａの出力が変化した場合は、マイコン１２にて外部から力が働いていると判断してブザー１３を鳴らす。
【００５７】
このようにマイコン１２からの命令以外の動作が発生した時に異常と判断して、音で使用者にしらせることで誤使用や、子供が加湿機能付き空気清浄機本体１の運転中にフロントパネル４を触って遊んでいるときなど、使用者への危険を防ぐことができる。
【００５８】
また、マイコン１２からの命令以外の動作が発生した時にブザー１３を鳴らすだけでなくファン５を停止してもよい。例えば上記と同様に上限用ホールＩＣ１１ａの出力が変化するとマイコン１２からファン５に運転停止の信号を出力しファン５を停止させる。
【００５９】
このようにマイコン１２からの命令以外の動作が発生した時に、音で使用者にしらせることで誤使用や、子供が加湿機能付き空気清浄機本体１の運転中にフロントパネル４を触って遊んでいるときなど、使用者への危険を防ぐことができる。
【００６０】
また、マイコン１２からの命令以外の動作が発生した時にブザー１３を鳴らすだけでなく加湿機能付き空気清浄機本体１の運転を停止してもよい。例えば上記と同様に上限用ホールＩＣ１１ａの出力が変化するとマイコン１２から加湿機能付き空気清浄機本体１に運転停止の信号を出力し加湿機能付き空気清浄機本体１を停止させる。
【００６１】
このようにマイコン１２からの命令以外の動作が発生した時に、音で使用者にしらせることで誤使用や、子供が加湿機能付き空気清浄機本体１の運転中にフロントパネル４を触って遊んでいるときなど、使用者への危険を防ぐことができる。
【００６２】
また、マイコン１２からの命令以外の動作が発生した時にブザー１３を鳴らすだけでなく表示部１４に異常を表示してもよい。
【００６３】
このようにマイコン１２からの命令以外の動作が発生した時に、視覚的に使用者にしらせることで誤使用や、子供が加湿機能付き空気清浄機本体１の運転中にフロントパネル４を触って遊んでいるときなど、使用者への危険を防ぐことができる。
【００６４】
また、現在位置から目標位置までフロントパネル４を可動させるときに、所定時間を経過しても目標位置に到達しない場合、ブザー１３に鳴らし正常動作していないことを使用者に知らせる。例えば、ここでは前閉Ｃから全開Ａまでの移行時間を１０秒とする。フロントパネル４が全閉Ｃの状態でマイコン１２から全開Ａの方向にフロントパネル４を可動させる信号を出力すると、下限用ホールＩＣ１１ｂからマイコン１２に出力される信号はＨｉからＬｏに変わり、１０秒後には上限用ホールＩＣ１１ａからＨｉ信号が出力されることで、正常動作していることをマイコン１２にて認識する。しかし、１０秒を経過しても上限用ホールＩＣ１１ａからＨｉ信号の出力がなければ、マイコン１２は異常と判断してブザー１３に鳴らす。
【００６５】
このようにマイコン１２からの命令以外の動作が発生した時に異常と判断して、音で使用者にしらせることで誤使用や、子供が加湿機能付き空気清浄機本体１の運転中にフロントパネル４を触って遊んでいるときなど、使用者への危険を防ぐことができる。
【００６６】
また、正常動作していない時にブザー１３を鳴らすだけでなく加湿機能付き空気清浄機本体１の運転を停止してもよい。
【００６７】
このようにマイコン１２からの命令以外の動作が発生した時に異常と判断して、運転を停止することで誤使用や、子供が加湿機能付き空気清浄機本体１の運転中にフロントパネル４を触って遊んでいるときなど、使用者への危険を防ぐことができる。
【００６８】
また、マイコン１２が異常を判断したときに、音を鳴らす・ファン５を停止する・加湿機能付き空気清浄機本体１の停止を選択できる、チャイルドロック１５を備えており、使用者が選択できる。
【００６９】
これにより、使用者が使用環境に応じて使用することができる。
【００７０】
（実施の形態３）
本実施の形態は前記実施の形態２と制御方法が同一であり、同一構成のものは同一番号を付して詳しい説明は省略する。
【００７１】
磁石９をフロントパネル４に設けたものである。実施の形態２と同一の制御を行うことで、使用者への危険を防ぐことができる。例えば、使用者がフィルター３のお手入れする際に、加湿機能付き空気清浄機本体１をフロントパネル４全開で運転している状態でフロントパネル４を外すと、上限用ホールＩＣ１１ａの出力信号が変化するためマイコン１２にて異常と判断して、実施の形態２と同様の制御を行う。
【００７２】
このように、使用者が取り外しする箇所に磁石９を設け、異常時に動作を停止することで使用者への危険を防ぐことができる。
【産業上の利用可能性】
【００７３】
本発明は、室内空間に浮遊する埃や煙草などの汚染物質を含んだ汚染空気を吸い込んで清浄し、清浄後の空気を加湿機能により加湿し、室内に吹きだす機能を備えた加湿機能付き空気清浄機に対して有用である。
【符号の説明】
【００７４】
１      加湿機能付き空気清浄機本体
２      吸気口
３      フィルター
４      フロントパネル
５      ファン
６      排気口
７      加湿フィルター
８      アーム
９      磁石
１０    ステッピングモータ
１１ａ  上限用ホールＩＣ
１１ｂ  下限用ホールＩＣ
１１ｃ  中間用ホールＩＣ
１２    マイコン
１３    ブザー
１４    表示部
１５    チャイルドロック
１０１  加湿機能付き空気清浄機本体
１０２  吸気口
１０３  フィルター
１０４  フロントパネル
１０５  ステッピングモータ
１０６  ファン
１０７  排気口
１０８  汚れセンサ
１０９  表示部
【図１】
2011106768.tif 000003
【図２】
2011106768.tif 000004
【図３】
2011106768.tif 000005
【図４】
2011106768.tif 000006
【図５】
2011106768.tif 000007
【図６】
2011106768.tif 000008
【図７】
2011106768.tif 000009
【図８】
2011106768.tif 000010